(57)【要約】【課題】糠捕集ユニットを設計位置に正確に収納するとともに、糠受けカバーの浮き上がりを防止する。【解決手段】糠捕集ユニット４２が収容される、ユニット収納部４４を開閉する家庭用精米機の点検パネル１９において、前記点検パネル１９の本体の内側に、前記糠捕集ユニット４２を位置決めするための押圧リブ１０を設ける。【選択図】  図１
2004344744.tif 000002
【特許請求の範囲】
【請求項１】
糠捕集ユニットが収容される、ユニット収納部を開閉する家庭用精米機の点検パネルにおいて、
前記点検パネルの本体の内側に、前記糠捕集ユニットを位置決めするための押圧リブを設けたことを特徴とする家庭用精米機の点検パネル。
【請求項２】
摺動可能な糠捕集ユニットが収容されるユニット収納部と、該ユニット収納部を開閉する点検パネルと、を備えた家庭用精米機において、
前記点検パネルの本体の内側に、前記糠捕集ユニットを位置決めするための押圧リブを設けたことを特徴とする家庭用精米機。
【請求項３】
押圧リブの下面が、傾斜状の押圧面であることを特徴とする請求項２記載の家庭用精米機。
【請求項４】
押圧リブの下面が、傾斜角度の異なる先端側傾斜面と後端側傾斜押圧面とからなることを特徴とする請求項２記載の家庭用精米機。
【請求項５】
前記糠捕集ユニットが、点検パネルの押圧リブに押される接触部を備えていることを特徴とする請求項２記載の家庭用精米機。
【請求項６】
接触部が、糠捕集ユニットのフイルターケースの上端縁部であることを特徴とする請求項５記載の家庭用精米機。
【請求項７】
接触部が、糠捕集ユニットのフイルターケースに収納されている、フイルターの指掛け部であることを特徴とする請求項５記載の家庭用精米機。
【発明の詳細な説明】
【０００１】
【発明の属する技術分野】
この発明は、家庭用精米機及びその点検パネルに関するものである。
【０００２】
【従来の技術】
家庭用精米機では、精米機本体内の糠の通る部分に糠が付着したり堆積したりするので、定期的に清掃をしなければならない。
そこで、清掃しやすいように、本件特許出願人は、次の様な家庭用精米機を開発した（特願第２００２−１６１２９４号参照）。
精米部の糠排出口に対向して設けた糠受けカバーで糠を捕集し、その糠をサイクロンに導き、サイクロンにおいて空気と糠を分離し、分離された糠を糠受け容器に蓄積するとともに、空気をエアホースを通して吸気装置で吸引して外部に排出するようにした家庭用精米機の糠捕集構造において、上記糠受けカバーを上記糠排出口に対し、又、上記サイクロンをエアホースと糠受け容器に対し、それぞれ着脱自在に取り付け、上記糠受けカバーとサイクロンを一体化して糠捕集ユニットを構成し、上記糠捕集ユニットをケーシングの内部に設けたユニット収納部に着脱自在に取り付けたことを特徴とする家庭用精米機。
【０００３】
【発明が解決しようとする課題】
しかし、上記家庭用精米機では、次のような問題がある。
Ａ：糠捕集ユニットは、前蓋（点検パネル）の付いたユニット収納部に収容されているので、清掃の際には、該点検パネルを開いて前記糠捕集ユニットをユニット収納部から取り出して清掃した後、再び該ユニットを押圧して該ユニット収納部に収容し前記パネルを閉めている。
しかし、この糠捕集ユニットを十分に押圧して前進させなかった為に、設計位置に正確に収納できないことがある。
そのため、上記糠受けカバーを上記糠排出口に、又、上記サイクロンをエアホース及び糠受け容器に、完全に接続できなくなり、空気漏れや糠の飛散等の問題が発生する恐れがある。
【０００４】
Ｂ：糠捕集ユニットは、前述のように、サイクロンと、糠受けカバーとから構成され、前記糠受けカバーは、フイルターを収納するケースと前記吸引装置のエアホースに接続される排気筒とを備えている。そのため、吸引装置が作動し、フイルターに糠が付着し始めると、フイルターにおける空気の流通抵抗が大きくなるので、糠受けカバーは上方に引っ張られ浮き上がるような状態となり、サイクロンとの位置ずれが発生することがある。
【０００５】
この発明は、上記事情に鑑み、糠捕集ユニットを設計位置に正確に収納することを目的とする。他の目的は、糠受けカバーの浮き上がりを防止することである。
【０００６】
【課題を解決するための手段】
この発明は、糠捕集ユニットが収容される、ユニット収納部を開閉する家庭用精米機の点検パネルにおいて、前記点検パネルの本体の内側に、前記糠捕集ユニットを位置決めするための押圧リブを設けたことを特徴とする。
【０００７】
この発明は、摺動可能な糠捕集ユニットが収容されるユニット収納部と、該ユニット収納部を開閉する点検パネルと、を備えた家庭用精米機において、
前記点検パネルの本体の内側に、前記糠捕集ユニットを位置決めするための押圧リブを設けたことを特徴とする。
【０００８】
この発明の押圧リブの下面は、傾斜状の押圧面、又は、傾斜角度の異なる先端側傾斜面と後端側傾斜押圧面とからなることを特徴とする。
【０００９】
この発明の糠捕集ユニットは、点検パネルの押圧リブに押される接触部を備えていることを特徴とする。この発明の前記接触部は、糠捕集ユニットのフイルターケースの上端縁部、又は、糠捕集ユニットのフイルターケースに収納されている、フイルターの指掛け部であることを特徴とする。
【００１０】
【発明の実施の形態】
この発明の第１実施の形態を図１〜図５により説明する。
家庭用精米機、例えば、循環式精米機の蓋８を開け、玄米を投入し、その後、ケーシング１内の機台２に立設されている、精米用モータ３を始動させる。そうすると、精米スクリーン３９が内蔵されている精米室７内の、精米ロール４が回転するので、前記玄米は、循環経路、即ち、ホッパ５、排出口６，精米室７、戻し通路９，及びホッパ５の順で、循環しながら精米される。
【００１１】
精米室７内に発生した糠は、吸引装置１７の駆動により吸引され、糠排出口３８を介して糠捕集ユニット４２に入る。この糠捕集ユニット４２は、糠受けカバー１３とサイクロン１４とからなり、ユニット収納部４４に出し入れ自在に収納されている。
【００１２】
このサイクロン１４は、下端開放の外筒２１と、上端壁中央部に設けた内筒２２と、外筒２１に設けられた吸気筒２３と、外筒２１の下端外周部に設けたつば部２４と、を備えている。
【００１３】
外筒２１の上端には、エアフイルター３１を収納したフイルターケース３２が嵌合されている。このフイルターケース３２の前面にはフイルター３１を出し入れするためのスリット３６が設けられている。
【００１４】
この糠捕集ユニット４２の糠受けカバー１３に流入した糠と吸引空気との混合気流は、サイクロン１４に入り、糠と空気に分離される。
ここで分離された糠は、漏斗部材２６を介して糠受け容器１５に落下し、又、その空気はフイルターケース３２のフイルター３１にかけられて微粉が除去された後、排気筒３４、エアホース１６を介して吸引装置１７に吸引される。
【００１５】
精米作業終了後、図示しない白米シャッタを開くと、白米が米ガイド部材１１を介して米受け容器１２内に流入する。
【００１６】
糠捕集ユニット４２を清掃する場合には、前蓋（点検パネルともいう）１９を外す。この点検パネル１９は、操作部１８の下部に位置し、その本体には、前面１９ａと、その両側の湾曲した側面１９ｂ、１９ｃと、その上端内面に形成された係止部１９ｄと、前記側壁１９ｂ、１９ｃに形成した係止部１９ｅと、前記側面１９ｂ、１９ｃに突設した摘み部１９ｆと、内側（内面）に形成した押圧リブ１０と、が設けられている。
【００１７】
この押圧リブ１０は、糠捕集ユニット４２を位置決めする機能を有しており、その下面１０ａは、傾斜状の押圧面となっているが、その先端部は面取りされている。この押圧面１０ａは、先端部１０ｂ側から後端部１０ｃ側に向かって下向きに傾斜している。この押圧リブ１０は、点検パネル１９をセットした際、その押圧面１０ａが糠捕集ユニット４２の接触部４２ａと当接できる位置、に配置されているが、その形状や位置等は必要に応じて適宜選択される。
【００１８】
なお、糠捕集ユニット４２の接触部４２ａとして、フイルターケース３２の上端縁部が利用されるが、必ずしも、ここである必要はなく、例えば、フイルター３１の指掛け部３７を接触部としても良い。
【００１９】
次に、糠捕集ユニット４２のレバークリップ４３を押し下げて外し、糠捕集ユニット４２全体をユニット収納部４４から引き出す。この時、糠受けカバー１３は、糠排出口３８から外れ、又、排気筒３４はホース継手４７から外れるので、糠捕集ユニット４２は、容易に引き出すことができる。
【００２０】
前記糠捕集ユニット４２を分解し、サイクロン１４内の内部、糠受けカバー１３，フイルターケース３２，フイルター３１等の清掃を行うと共に、ユニット収納部４４の清掃も行う。
【００２１】
前記清掃終了後、前記各部品を組み立てて糠捕集ユニット４２を形成し、該糠捕集ユニット４２をユニット収納部４４に差し込むと、水平ガイド板２９，２９がガイド部４５、４５上を摺動し最も奥に到達する寸前に、糠受けカバー１３の押し当て部４８が傾斜ガイド部４６に乗り上げ、開口部４１が糠排出口３８に嵌着される。
【００２２】
同時に、排気筒３４の端部３５がホース継手４７に嵌着され、エアホース１６に接続される。
なお、漏斗部材２６を嵌合した糠受け容器１５は、それらの鍔部２７，２８がガイド溝２５，２５に嵌合され所定位置まで押し込まれている。
【００２３】
以上により、糠捕集ユニット４２は、ユニット収納部４４の設計位置に正確に収納された状態になるので、レバークリップ４３を精米室７の前端下部の係合部４９に係合させる。
【００２４】
その後、点検パネル１９の摘み部１９ｆを持ち、その内側をユニット収納部４４に対向させ、押圧リブ１０を糠捕集ユニット４２の接触部４２ａに向かって摺動させる。
【００２５】
そうすると、摺動の途中で傾斜状の押圧面１０ａは、前記接触部４２ａに当接し、該糠受けカバー１３を押さえ込むような状態になるので、それ以上前進しなくなる。この時、点検パネル１９の係止部１９ｄ、１９ｅは、ユニット収納部４４の図示しない係合部に係止し固定されるので、ユニット収納部４４は閉じられた状態を維持する。
【００２６】
前記糠捕集ユニット４２を完全にユニット収納部４４の設計位置まで挿入していない場合には、点検パネル１９の押圧リブ１０をユニット収納部４４に挿入すると、該押圧リブ１０の押圧面１０ａが糠捕集ユニット４２の接触部４２ａを押圧して該糠捕集ユニット４２を前進させ、設計位置まで摺動させる。そのため、点検パネル１９がユニト収納部４４を閉じたときには、糠捕集ユニット４２は完全に設計位置となる。
【００２７】
この発明の第２実施の形態を図６により説明するが、図１〜図５と同一図面符号は、その名称も機能も同一である。
この実施の形態と前記第１実施の形態との相違点は、点検パネル１９の押圧リブ３０の下面が、互いに傾斜角度の異なる先端側傾斜面３０ａと後端側傾斜押圧面３０ｂとから構成されていることであり、この後端側傾斜押圧面３０ｂは、糠捕集ユニット４２の接触部４２ａと接触する。
【００２８】
【発明の効果】
この発明は、点検パネルの内側に、糠捕集ユニットを位置決めするための押圧リブを設けたので、点検パネルを閉じれば、糠捕集ユニットは、押圧リブに押されて確実に設計位置になる。そのため、従来例のような、糠受けカバーと糠排出口との接続不良やサイクロンとエアホース及び糠受け容器との位置ずれなどの問題、は発生しない。
【００２９】
又、押圧リブは、糠捕集ユニットを押さえつける様な状態でセットされるので、糠捕集ユニットの糠受けカバーが浮き上がるのを防止することができる。
【図面の簡単な説明】
【図１】本発明の第１実施の形態を示す図で、家庭用循環傾斜式精米機の点検パネルの斜視図である。
【図２】家庭用循環傾斜式精米機の一部分解斜視図である。
【図３】同上の縦断面図である。
【図４】要部縦断面拡大図である。
【図５】糠捕集ユニットの断面図である。
【図６】本発明の第２実施の形態を示す図で、家庭用循環傾斜式精米機の点検パネルの一部を示す断面図である。
【符号の説明】
１０  押圧リブ
１０ａ      押圧面
１３  糠受けカバー
１４  サイクロン
１９  点検パネル
３１  エアフイルター
３２  フイルターケース
３７  指掛け部
４２  糠捕集ユニット
４４  ユニット収納部
【図１】
2004344744.tif 000003
【図２】
2004344744.tif 000004
【図３】
2004344744.tif 000005
【図４】
2004344744.tif 000006
【図５】
2004344744.tif 000007
【図６】
2004344744.tif 000008